(57)【要約】【課題】波形コアシートの波形状に沿う方向と直交する断面の断面形状（略正弦波形状）のデザイン性を存分に活かすことを可能にする段ボール材を提供する。【解決手段】段ボール材１は、波形コアシート２の両面にライナーシート３を接着したサンドイッチ構造を有する段ボール材である。サンドイッチ構造は、三層からなっている。段ボール材１は、平面視の外形が略正方形である。そして、当該略正方形の四辺のそれぞれの面（側面）には、波形コアシート２の波形状に沿う方向と直交する断面の断面形状（略正弦波形状）が現れている【選択図】図１
0003224708.tif 000002
【実用新案登録請求の範囲】
【請求項１】
波形コアシートの両面にライナーシートを接着したサンドイッチ構造を有する段ボール材であって、
平面視の外形が四角形であり、
前記四角形の四辺のそれぞれの面に、前記波形コアシートの波形状に沿う方向と直交する断面の断面形状が現れていることを特徴とする段ボール材。
【請求項２】
平面視の外形が三角形又は台形の四枚の段ボール材構成部材を接合することによって形成されている、請求項１に記載の段ボール材。
【請求項３】
前記サンドイッチ構造が、複数層からなる、請求項１又は２に記載の段ボール材。
【考案の詳細な説明】
【技術分野】
【０００１】
本考案は、段ボール材に関する。更に詳細には、本考案は、例えば、置物等のオブジェの材料や、展示台（ディスプレイ台）、店舗用什器、イベント用具、インテリア家具等の材料として使用される段ボール材に関する。
【背景技術】
【０００２】
従来、段ボールとしては、例えば、特許文献１の図７等に開示されたものが知られている。  特許文献１の図７等に開示された段ボールは、波形コアシートの両面にライナーシートを接着したサンドイッチ構造を有している。かかる構成の段ボール（段ボール原紙）から四角形の段ボール材を得るに際しては、通常、波形コアシートの波形状に沿う方向と当該方向に直交する方向とに辺を有する四角形状に切り出される。
【先行技術文献】
【特許文献】
【０００３】
【特許文献１】特開平７−４０４８０号公報
【考案の概要】
【考案が解決しようとする課題】
【０００４】
しかし、上記のようにして切り出された四角形の段ボール材では、四辺のうち一組の対辺の面にのみ、波形コアシートの波形状に沿う方向と直交する断面の断面形状（略正弦波形状）が現れた状態となる。したがって、かかる構成の段ボール材を、例えば、置物等のオブジェなどの材料に使用した場合、見る位置によっては略正弦波形状が見えない場合があり、略正弦波形状のデザイン性が活かされにくいという問題があった。
【０００５】
本考案は、従来技術における前記課題を解決するためになされたものであり、波形コアシートの波形状に沿う方向と直交する断面の断面形状（略正弦波形状）のデザイン性を存分に活かすことを可能にする段ボール材を提供することを目的とする。
【課題を解決するための手段】
【０００６】
前記目的を達成するため、本考案に係る段ボール材の構成は、
（１）波形コアシートの両面にライナーシートを接着したサンドイッチ構造を有する段ボール材であって、
平面視の外形が四角形であり、
前記四角形の四辺のそれぞれの面に、前記波形コアシートの波形状に沿う方向と直交する断面の断面形状が現れていることを特徴とする。
【０００７】
本考案の段ボール材は、例えば、置物等のオブジェなどの材料として使用されるが、かかる用途に限定されるものではない。本考案の段ボール材は、例えば、展示台（ディスプレイ台）、店舗用什器、イベント用具、インテリア家具等の材料として使用することもできる。
【０００８】
本考案の段ボール材の上記（１）の構成によれば、例えば、置物等のオブジェなどの材料や店舗用什器等の材料として使用した場合に、どの位置から見ても、波形コアシートの波形状に沿う方向と直交する断面の断面形状（略正弦波形状）が見えることになる。その結果、置物等のオブジェや店舗用什器等にデザイン性を付与する略正弦波形状により、それを見る者（消費者等）の目を引くことになる。
したがって、本考案の段ボール材の上記（１）の構成によれば、波形コアシートの波形状に沿う方向と直交する断面の断面形状（略正弦波形状）のデザイン性を存分に活かすことを可能にする段ボール材を提供することができる。
【０００９】
本考案の段ボール材の上記（１）の構成においては、以下の（２），（３）のような構成にすることが好ましい。
【００１０】
（２）平面視の外形が三角形又は台形の四枚の段ボール材構成部材を接合することによって形成されている。
【００１１】
上記（２）の好ましい構成によれば、三角形の底辺の面又は台形の下底の面に、波形コアシートの波形状に沿う方向と直交する断面の断面形状（略正弦波形状）が現れるように段ボール材構成部材を切り出し、これらを四角形状となるように接合することにより、段ボール材（四角形）の四辺のそれぞれの面に、略正弦波形状が現れるようにすることができる。
【００１２】
（３）前記サンドイッチ構造が、複数層からなる。
【００１３】
上記（３）の好ましい構成によれば、波形コアシートの波形状に沿う方向と直交する断面の断面形状（略正弦波形状）のデザイン性を、より際立たせることが可能となる。
【考案の効果】
【００１４】
本考案によれば、波形コアシートの波形状に沿う方向と直交する断面の断面形状（略正弦波形状）のデザイン性を存分に活かすことを可能にする段ボール材を提供することができる。
【図面の簡単な説明】
【００１５】
【図１】本考案の一実施形態における段ボール材の構成を示す平面図である。
【図２】本考案の一実施形態における段ボール材を構成する段ボール材構成部材を示す斜視図である。
【図３】本考案の一実施形態における段ボール材を構成する段ボール材構成部材の切り出し方法を説明するための平面図である。
【図４】本考案の一実施形態における段ボール材を構成する四枚の段ボール材構成部材を接合する方法を説明するための平面図である。
【図５】本考案の一実施形態における段ボール材の他の構成を示す平面図である。
【図６】本考案の一実施形態における段ボール材の更なる他の構成を示す平面図である。
【図７】本考案の一実施形態における段ボール材の使用例１を示す斜視図である。
【図８】本考案の一実施形態における段ボール材の使用例２を示す斜視図である。
【考案を実施するための形態】
【００１６】
以下、好適な実施形態を用いて本考案を更に具体的に説明する。但し、下記の実施形態は本考案を具現化した例に過ぎず、本考案はこれに限定されるものではない。
【００１７】
［段ボール材の構成］
まず、本考案の一実施形態における段ボール材の構成について、図１，図２を参照しながら説明する。
【００１８】
図１は、本考案の一実施形態における段ボール材の構成を示す平面図、図２は、当該段ボール材を構成する段ボール材構成部材を示す斜視図である。なお、図１では、全体の構成を把握するために、本来平面視では見えない各辺の面（側面）の形状も描かれている（図３，図４，図５，図６においても同様）。
【００１９】
図１に示すように、本実施形態における段ボール材１は、波形コアシート２の両面にライナーシート３を接着したサンドイッチ構造を有する段ボール材である。ここで、サンドイッチ構造は、三層からなっている。また、波形コアシート２とライナーシート３との接着には、ホットメルト接着剤、合成樹脂接着剤等が用いられている。
段ボール材１は、平面視の外形が略正方形である。より具体的には、段ボール材１は、平面視で中実の略正方形状に形成されている。そして、当該略正方形の四辺のそれぞれの面（側面）には、波形コアシート２の波形状に沿う方向と直交する断面の断面形状（略正弦波形状）が現れている（図３を参照）。
【００２０】
波形コアシート２及びライナーシート３の材料としては、例えば、紙、プラスチックフィルム、不織布、織物、金属シート等を用いることができる。
【００２１】
上記のように、本実施形態の段ボール材１は、平面視の外形が略正方形であり、当該略正方形の四辺のそれぞれの面（側面）に、波形コアシート２の波形状に沿う方向と直交する断面の断面形状（略正弦波形状）が現れている。このため、例えば、置物等のオブジェなどの材料や店舗用什器等の材料として使用した場合に、どの位置から見ても、略正弦波形状が見えることになる。その結果、置物等のオブジェや店舗用什器等にデザイン性を付与する略正弦波形状により、それを見る者（消費者等）の目を引くことになる。
したがって、本実施形態の段ボール材１の構成によれば、波形コアシート２の波形状に沿う方向と直交する断面の断面形状（略正弦波形状）のデザイン性を存分に活かすことを可能にする段ボール材を提供することができる。
また、サンドイッチ構造が三層からなっていることにより、略正弦波形状のデザイン性を、より際立たせることが可能となる。
【００２２】
図１，図２に示すように、本実施形態の段ボール材１は、平面視の外形が略直角二等辺三角形の四枚の段ボール材構成部材４を接合することによって形成されている。ここで、段ボール材構成部材４は、その底辺の面に、波形コアシート２の波形状に沿う方向と直交する断面の断面形状（略正弦波形状）が現れている。四枚の段ボール材構成部材４は、等辺同士をホットメルト接着剤、合成樹脂接着剤等で接着等することによって接合される。そして、これにより、接合された四枚の段ボール材構成部材４の底辺が、段ボール材１の四辺となり、四辺のそれぞれの面（側面）に略正弦波形状が現れる。
【００２３】
［段ボール材の製造方法］
次に、本考案の一実施形態における段ボール材の製造方法について、図３，図４をも参照しながら説明する。
【００２４】
図３は、本考案の一実施形態における段ボール材を構成する段ボール材構成部材の切り出し方法を説明するための平面図、図４は、当該段ボール材を構成する四枚の段ボール材構成部材を接合する方法を説明するための平面図である。
【００２５】
まず、図３に示すように、波形コアシート２の両面にライナーシート３を接着したサンドイッチ構造を有する広めの段ボール原紙５を用意する。
次いで、段ボール材構成部材４の底辺が、波形コアシート２の波形状に沿う方向と直交する断面と平行になるように、段ボール原紙５から段ボール材構成部材４（図３の斜線部分を参照）を切り出す。ここでは、一枚の段ボール原紙５から二枚の段ボール材構成部材４を切り出している。
以上の切り出し作業を複数回行うことにより、図２に示す段ボール材構成部材４が複数枚得られる。すなわち、底辺の面に、波形コアシート２の波形状に沿う方向と直交する断面の断面形状（略正弦波形状）が現れた、複数枚の段ボール材構成部材４が得られる。
【００２６】
最後に、図４に示すように、四枚の段ボール材構成部材４を、等辺同士をホットメルト接着剤、合成樹脂接着剤等で接着等することによって接合する（図４の矢印ａ，ｂ，ｃ，ｄ，ｅ，ｆ，ｇ，ｈを参照）。
これにより、図１に示す構成の段ボール材１が得られる。すなわち、平面視の外形が略正方形であり、当該略正方形の四辺のそれぞれの面（側面）に、波形コアシート２の波形状に沿う方向と直交する断面の断面形状（略正弦波形状）が現れた段ボール材１が得られる。
【００２７】
なお、本実施形態においては、平面視の外形が略正方形である段ボール材１を例に挙げて説明した。しかし、本考案は必ずしもこのような構成に限定されるものではない。本考案の段ボール材は、平面視の外形が四角形であれば足り、例えば、図５に示すように、平面視の外形が略長方形の段ボール材６であってもよい。
段ボール材６は、平面視の外形が略二等辺三角形の、等辺及び底辺の長さが異なる二種類の段ボール材構成部材７，８（各二枚）の等辺同士を接合することによって形成することができる。この場合においても、段ボール材構成部材７，８として、底辺の面に、波形コアシート２の波形状に沿う方向と直交する断面の断面形状（略正弦波形状）が現れたものが用いられる。そして、これにより、段ボール材６の四辺のそれぞれの面（側面）に、略正弦波形状が現れた状態となる。
【００２８】
また、本実施形態においては、平面視で中実の略正方形状に形成された段ボール材１を例に挙げて説明した。しかし、本考案は必ずしもこのような構成に限定されるものではない。本考案の段ボール材は、平面視の外形が四角形であれば足り、例えば、図６に示すように、内側領域に穴空き部分が形成された段ボール材９であってもよい。
段ボール材９は、平面視の外形が略台形の四枚の段ボール材構成部材１０の脚同士を接合することによって形成することができる。この場合、段ボール材構成部材１０として、下底の面に、波形コアシート２の波形状に沿う方向と直交する断面の断面形状（略正弦波形状）が現れたものが用いられる。そして、これにより、段ボール材９の四辺のそれぞれの面（側面）に、略正弦波形状が現れた状態となる。
【００２９】
また、本実施形態においては、サンドイッチ構造が三層からなる段ボール材１を例に挙げて説明した。しかし、本考案は必ずしもこのような構成に限定されるものではない。サンドイッチ構造は、一層であってもよく、二層あるいは四層以上からなっていてもよい。
【００３０】
［段ボール材の使用例］
次に、本考案の一実施形態における段ボール材の使用例について、図７，図８を参照しながら説明する。
【００３１】
図７は、本考案の一実施形態における段ボール材の使用例１を示す斜視図、図８は、当該段ボール材の使用例２を示す斜視図である。
【００３２】
（使用例１）
図７に示す使用例１は、本実施形態の段ボール材１を、床に置くタイプの什器１１の材料として使用した例である。
什器１１は、平面視の大きさが徐々に変化する複数種類の段ボール材１を、上下に重ね合わせることによって作製される。図７に示す什器１１においては、中央部分に位置する段ボール材１の平面視の大きさが一番小さく、中央部分から下方及び上方に行くにしたがって段ボール材１の平面視の大きさが徐々に大きくなっている。これにより、括れ（くびれ）タイプの什器１１が得られる。
この什器１１は、展示会や販売会などでの商品陳列等に用いることができる。
本実施形態の段ボール材１を、什器１１の材料として使用することにより、当該什器１１をどの位置から見ても、波形コアシート２の波形状に沿う方向と直交する断面の断面形状（略正弦波形状）が見えることになる。その結果、什器１１にデザイン性を付与する略正弦波形状により、それを見る者（消費者等）の目を引くことになる。
【００３３】
（使用例２）
図８に示す使用例２も、本実施形態の段ボール材１を、床に置くタイプの什器１２の材料として使用した例である。
什器１２は、平面視の大きさが同一の複数枚の段ボール材１を、水平方向に少しずつ回転させながら上下に重ね合わせることによって作製される。これにより、捻じれタイプの什器１２が得られる。
この什器１２も、展示会や販売会などでの商品陳列等に用いることができる。
本実施形態の段ボール材１を、什器１２の材料として使用することにより、当該什器１２をどの位置から見ても、波形コアシート２の波形状に沿う方向と直交する断面の断面形状（略正弦波形状）が見えることになる。その結果、什器１２にデザイン性を付与する略正弦波形状により、それを見る者（消費者等）の目を引くことになる。また、「捻じれ」という奇抜な形状を有しているので、それを見る者（消費者等）の目を更に引くことになる。
【符号の説明】
【００３４】
１，６，９  段ボール材
２  波形コアシート
３  ライナーシート
４，７，８，１０  段ボール材構成部材
５  段ボール原紙
１１，１２  什器
【図１】
0003224708.tif 000003
【図２】
0003224708.tif 000004
【図３】
0003224708.tif 000005
【図４】
0003224708.tif 000006
【図５】
0003224708.tif 000007
【図６】
0003224708.tif 000008
【図７】
0003224708.tif 000009
【図８】
0003224708.tif 000010